(57)【要約】 【課題】  上廻り階段の内廻り側を安全に昇降することができる手すりの配設構造を得る。【解決手段】  上廻り階段１０は、階下から直線的に延びる直階段部１１と、直階段部１１から９０°に曲がり階上に繋がる廻り階段部１２と、直階段部１１の内廻り側に立設されて廻り階段部１２の廻り中心部まで延びる側壁１６とを有する。上廻り階段１０に設置される手すり３０は、直階段部１１に面する側壁１６の壁面１７に設けられる直線手すり部３２と、直線手すり部３２の上端から延びて側壁１６の角部１８の周囲を湾曲する湾曲手すり部３３と、階上の床面１９に面する側壁１６の側面２０に沿って湾曲手すり部３３の上端から上方へ延びる縦手すり部３４とを備える。直線手すり部３２は、階下側から直階段部１１の勾配に対して略平行に延びる第１直線手すり部３５と、第１直線手すり部３５からその勾配よりも急勾配に延びて湾曲手すり部３３に繋がる第２直線手すり部３６とを有する。【選択図】  図２
2019031826.tif 000002
【特許請求の範囲】
【請求項１】
上廻り階段に設置される手すりの配設構造であって、
前記上廻り階段は、階下から直線的に延びる直階段部と、該直階段部から９０°に曲がり階上に繋がる廻り階段部と、前記直階段部の内廻り側に立設されて前記廻り階段部の廻り中心部まで延びる側壁とを有し、
前記手すりは、前記直階段部に面する前記側壁の壁面に設けられる直線手すり部と、前記直線手すり部の上端から延びて前記側壁の角部の周囲を湾曲する湾曲手すり部と、前記階上の床面に面する前記側壁の側面に沿って前記湾曲手すり部の上端から上方へ延びる縦手すり部とを備えており、
前記直線手すり部は、前記階下側から前記直階段部の勾配に対して略平行に延びる第１直線手すり部と、前記第１直線手すり部からその勾配よりも急勾配に延びて前記湾曲手すり部に繋がる第２直線手すり部とを有していることを特徴とする手すりの配設構造。
【請求項２】
前記第２直線手すり部は、前記第１直線手すり部の勾配よりも１０°以上２０°以下の急勾配に設けられていることを特徴とする請求項１に記載の手すりの配設構造。
【請求項３】
前記縦手すり部は、該縦手すり部の上端が前記階上の床面から１００ｃｍ以上の高さ位置となるように設けられていることを特徴とする請求項１又は２に記載の手すりの配設構造。
【請求項４】
前記第２直線手すり部は、該第２直線手すり部の上端が前記階上の床面から７０ｃｍ以上９０ｃｍ未満の高さ位置となるように設けられていることを特徴とする請求項１乃至３のいずれか１項に記載の手すりの配設構造。
【請求項５】
前記第１直線手すり部と前記第２直線手すり部の境界部は、階下からｎ段で構成される直階段部においてｎ−２段からｎ−１段までの段上の範囲に位置することを特徴とする請求項１乃至４のいずれか１項に記載の手すりの配設構造。
【発明の詳細な説明】
【技術分野】
【０００１】
本発明は、階下から直階段部が延びて廻り階段部が階上に繋がる上廻り階段に設置される手すりの配設構造に関するものである。
【背景技術】
【０００２】
二階建てや三階建ての住宅等の建物においては、設置スペース等の関係から、階下から直線的に延びる直階段部と、該直階段部から９０°に曲がり階上に繋がる廻り階段部とを有する上廻り階段が適用されることがある。
上廻り階段は、廻り階段部の踏み板が外廻り側から内廻り側へ行くに従い狭くなっているため、廻り階段部の内廻り側を昇降する場合には、足を踏み板から踏み外すおそれがある。
【０００３】
そのため、上廻り階段においては、階段の内廻り側に手すりが設置されることがあった。例えば、そのような手すりの配設構造として、特許文献１，２では、直階段部の側壁に直線手すり部を設け、上下方向に延びる垂直手すり部を廻り階段部の廻り中心部の位置に設けたものが提案されている。また、特許文献３では、直階段部の昇降傾斜方向に沿って延びる下握り手すり部と、下握り手すり部から水平に延びて側壁の角部の周囲を湾曲するＬ字状握り手すり部と、廻り階段部の廻り中心部の側壁に設けられＬ字状握り手すり部から上方へ延びる縦向き握り手すり部とを備えた手すりを階段の内廻り側に設置したものが提案されている。
【先行技術文献】
【特許文献】
【０００４】
【特許文献１】特開２００６−２９９５６９号公報
【特許文献２】特開２００７−４６３３２号公報
【特許文献３】特開２００１−１４０４３３号公報
【発明の概要】
【発明が解決しようとする課題】
【０００５】
しかしながら、特許文献１，２に記載の手すりの配設構造にあっては、直線手すり部と垂直手すり部とが繋がっておらず、それぞれが別個に設置されている。そのため、廻り階段部を昇降する際、一方の手すり部から他方の手すり部に持ち替えなければならず、廻り階段部で手すりから手を放すことになり、このタイミングで踏み板から足を踏み外すと危険である。
【０００６】
また、廻り階段においては、廻り階段部の内廻り側は、踏み板の幅が狭くなることによって直階段部よりも急勾配となるところ、特許文献３に記載の手すりの配設構造においては、下握り手すり部が直階段部の勾配に沿って廻り階段部の廻り中心部まで設けられているため、直階段部から急勾配となる廻り階段部の内廻り側では、Ｌ字状握り手すり部や縦向き握り手すり部の下部の位置が低くなり、手すりを握りながら昇降しづらいといった問題がある。
ここで、手すりを握る際に進行方向側に親指を向ける握りを、以下「順手」とし、手すりを握る際に進行方向側に小指を向ける握りを、以下「逆手」とする。特許文献３において、廻り階段部の降り始めに手すりを順手で握っているが、順手のままでは縦向き握り手すり部に手を移動させづらいため、一旦手すりから手を放して握りを逆手に握り替えることになる。また、縦向き握り手すり部の下端から水平に延びるＬ字状握り手摺り部には、逆手のままでは手を移動させづらいため、一旦手すりから手を放して握りを順手に握り替えることになる。このように廻り階段部の降段で手すりから手を放している最中、踏み板から足を踏み外すと危険である。
【０００７】
本発明は以上のような事情を勘案してなされたもので、その目的は、上廻り階段の内廻り側を安全に昇降することができる手すりの配設構造を提供することにある。
【課題を解決するための手段】
【０００８】
上記の目的を達成するために、本発明の第１の特徴は、上廻り階段に設置される手すりの配設構造であって、前記上廻り階段は、階下から直線的に延びる直階段部と、該直階段部から９０°に曲がり階上に繋がる廻り階段部と、前記直階段部の内廻り側に立設されて前記廻り階段部の廻り中心部まで延びる側壁とを有し、前記手すりは、前記直階段部に面する前記側壁の壁面に設けられる直線手すり部と、前記直線手すり部の上端から延びて前記側壁の角部の周囲を湾曲する湾曲手すり部と、前記階上の床面に面する前記側壁の側面に沿って前記湾曲手すり部の上端から上方へ延びる縦手すり部とを備えており、前記直線手すり部は、前記階下側から前記直階段部の勾配に対して略平行に延びる第１直線手すり部と、前記第１直線手すり部からその勾配よりも急勾配に延びて前記湾曲手すり部に繋がる第２直線手すり部とを有していることにある。
【０００９】
本発明の第１の特徴によれば、第１直線手すり部が直階段部の勾配に応じた傾きとなり、第２直線手すり部及び湾曲手すり部が廻り階段部の内廻り側の勾配に応じた傾きとなるので、利用者が手すりを握った手を移動させながら上廻り階段の内廻り側を昇降する動作に対して、直線手すり部及び湾曲手すり部が対応した形状となる。これにより、利用者は、直線手すり部及び湾曲手すり部を持ちやすい高さ位置で握った状態で、上廻り階段の内廻り側を昇降することができる。
また、縦手すり部が湾曲手すり部の上端から上方へ延びており、階上から降りる利用者は自然に逆手で縦手すり部を握るようになり、力を入れやすい逆手で縦手すり部を握って廻り階段部を降段することができる。さらに、手すりは、第２直線手すり部から湾曲手すり部を介して縦手すり部まで連続して形成されているので、利用者は、廻り階段部の内廻り側を昇降する最中に手すりから手を放すことなく、常に手すりを握った状態で昇降することができる。
【００１０】
本発明の第２の特徴は、前記第２直線手すり部が、前記第１直線手すり部の勾配より１０°以上２０°以下の急勾配に設けられていることにある。
これにより、第２直線手すり部が廻り階段部の内廻り側の勾配に近い傾きとなり、利用者は第２直線手すり部を持ちやすい位置でしっかりと握ることができ、廻り階段部を安全に昇降することができる。
また、第１直線手すり部から第２直線手すり部にかけての勾配の変化が緩やかであるため、昇段時は第１直線手すり部から第２直線手すり部へと、降段時は第２直線手すり部から第１直線手すり部へと手をスムーズに移動させることができる。
【００１１】
本発明の第３の特徴は、前記縦手すり部は、該縦手すり部の上端が前記階上の床面から１００ｃｍ以上の高さ位置となるように設けられていることにある。
これにより、上肢骨格の構造上、階上の利用者はより自然に逆手で縦手すり部を握ることになり、力を入れやすい逆手で縦手すり部を握り廻り階段部を降段することができる。
【００１２】
本発明の第４の特徴は、湾曲手すり部は、該湾曲手すり部の下端が前記階上の床面から７０ｃｍ以上９０ｃｍ未満の高さ位置となるように設けられていることにある。
これにより、湾曲手すり部の位置が低くなり過ぎず、湾曲手すり部とこれに繋がる第２直線手すり部の上部や縦手すり部の下部が廻り階段部を昇降する利用者の持ちやすい高さとなる。したがって、廻り階段部を昇降する利用者は、第２直線手すり部から湾曲手すり部、縦手すり部にかけてスムーズに手を移動させることができ、廻り階段部で手を握り替えることなく廻り階段部を安全に昇降することができる。
【００１３】
本発明の第５の特徴は、前記第１直線手すり部と前記第２直線手すり部の境界部は、階下からｎ段で構成される直階段部においてｎ−２段からｎ−１段までの段上の範囲に位置することにある。
これにより、第１直線手すり部と第２直線手すり部の境界部を廻り階段部の段上の範囲とする場合に比べ、第２直線手すり部の勾配を緩やかにすることができ、第２直線手すり部が急峻になるのを防止することができる。
【発明の効果】
【００１４】
本発明によれば、利用者が持ちやすい高さ位置で手すりを握って、手を握り替えることなく廻り階段部を昇降するため、廻り階段部の内回り側を安全に昇降することができる。
【図面の簡単な説明】
【００１５】
【図１】本発明に係る手すりの配設構造が設置された上廻り階段の一例を示す平面図である。
【図２】図１の上廻り階段をＡ方向から見た側面図である。
【図３】図１の上廻り階段をＢ方向から見た正面図である。
【図４】図１の廻り階段部の廻り中心部を示す拡大図である。
【発明を実施するための形態】
【００１６】
先ずは、本発明に係る手すりの配設構造の実施の形態を、図面を参照して詳細に説明する。
図１乃至図４は本実施の形態の一例を示しており、１０は上廻り階段、３０は手すりである。また、本実施形態では、「利用者」に成人を想定している。
【００１７】
上廻り階段１０は、階下から直線的に延びる直階段部１１と、直階段部１１から９０°に曲がり階上に繋がる廻り階段部１２とを備えている。
【００１８】
直階段部１１は、階下から廻り階段部１２にかけて５段の踏み板１３ａ〜１３ｅを備えている。また、廻り階段部１２は、直階段部１１から階上にかけて３段の踏み板１４ａ〜１４ｃを備えている。上廻り階段１０には、直階段部１１の内廻り側に立設されて廻り階段部１２の廻り中心部１５まで延びる側壁１６が設けられている。
【００１９】
本実施形態に係る手すり３０は、金属製のレール状の芯材に合成樹脂製の笠木を被せたものが用いられている。また、手すり３０は、複数のブラケット３１によって側壁１６に支持固定されている。
【００２０】
手すり３０は、直階段部１１に面する側壁１６の壁面１７に設けられる直線手すり部３２と、直線手すり部３２の上端から延びて側壁１６の角部１８の周囲を湾曲する湾曲手すり部３３と、階上の床面１９に面する側壁１６の側面２０に沿って湾曲手すり部３３の上端から上方へ延びる縦手すり部３４とを備えている。手すり３０は、直線手すり部３２、湾曲手すり部３３及び縦手すり部３４が途切れることなく線状に連続して設けられている。
【００２１】
直線手すり部３２は、直階段部１１の勾配に対して略平行に延びる第１直線手すり部３５と、第１直線手すり部３５からその勾配よりも急勾配となって湾曲手すり部３３に繋がる第２直線手すり部３６とを備えている。
【００２２】
第１直線手すり部３５は、階下側の先端が、直階段部１１の１段目の踏み板１３ａの段鼻上に位置し、そこから直階段部１１の勾配に沿って直線状に延び、境界部３７で第２直線手すり部３６と繋がっている。
第１直線手すり部３５と第２直線手すり部３６の境界部３７は、階下からｎ段で構成される直階段部１１においてｎ−２段からｎ−１段までの段上の範囲となっている。本実施形態では、境界部３７は、５段で構成される直階段部１１の階下から４段目の踏み板１３ｄの段鼻上の位置となっている。
【００２３】
第２直線手すり部３６は、第１直線手すり部３５と繋がる境界部３７から第１直線手すり部３５の勾配よりも急勾配となって直線状に延び、側壁１６の角部１８周辺で湾曲手すり部３３と繋がっている。
そして、湾曲手すり部３３は、側壁１６の角部１８の周囲を湾曲しながら斜め上方に延びて側壁１６の側面２０で縦手すり部３４と繋がっている。
【００２４】
第２直線手すり部３６は、第１直線手すり部３５の勾配より１０°以上２０°以下の急勾配に設けられている。換言すると、図２に示すように、第１直線手すり部３５の延長線上にある仮想線Ｖと第２直線手すり部３６との成す角度θが１０°以上２０°以下の範囲となっている。これにより、第２直線手すり部３６の勾配が廻り階段部１２の内廻り側の勾配に近い傾きとなり、第２直線手すり部３６がより廻り階段部１２を昇降する利用者の動作に合わせた傾きとなる。本実施形態では、角度θが約１２°となっており、第２直線手すり部３６は、第１直線手すり部３５の勾配よりも約１２°の急勾配となっている。
【００２５】
湾曲手すり部３３は、図３に示すように、階上の床面１９から湾曲手すり部３３の下端までの高さＨ１が、７０ｃｍ以上９０ｃｍ未満となるように設けられている。これにより、湾曲手すり部３３の位置が低くなり過ぎず、湾曲手すり部３３とこれに繋がる第２直線手すり部３６の上部や縦手すり部３４の下部が廻り階段部１２を昇降する利用者の持ちやすい高さとなる。
【００２６】
本実施形態では、第２直線手すり部３６は、高さＨ１が約８０ｃｍ、高さＨ２（図２参照）が約８０ｃｍとなっており、第２直線手すり部３６の上端から階上の床面１９までの高さＨ１と、第２直線手すり部３６の下端（境界部３７）から直階段部１１の踏み板１３ｄまでの高さＨ２とが略同じ高さとなるように、第２直線手すり部３６が設けられている。
【００２７】
そして、縦手すり部３４は、図２及び図３に示すように、階上の床面１９から縦手すり部３４の上端までの高さＨ３が、１００ｃｍ以上となるように設けられている。本実施形態では、階上の床面１９から縦手すり部３４の上端までの高さＨ３が約１４０ｃｍとなっている。これにより、階上の利用者は、上肢骨格の構造上、自然に逆手で縦手すり部３４を握るようになる。
なお、「逆手」とは、手すり３０を握る際に進行方向側に小指を向ける握りを意味し、「順手」とは、手すり３０を握る際に進行方向側に親指を向ける握りを意味する。
【００２８】
また、縦手すり部３４は、階上の利用者が無理なく握ることができるように、縦手すり部３４の長さＬ（図３参照）を１０ｃｍ以上とするのが好ましい。本実施形態では、縦手すり部３４の上端から下端までの長さＬが約４０ｃｍとなっている。
【００２９】
このような手すり３０が配設された階段１０では、利用者は、階下から階上に昇るとき、第１直線手すり部３５を順手で握り、握った手を移動させながら直階段部１１を昇段する。そして、廻り階段部１２の手前で第１直線手すり部３５から第２直線手すり部３６に手を順手のまま移動させて、そのまま第２直線手すり部３６を握りながら廻り階段部１２を昇段する。このとき、第１直線手すり部３５が直階段部１１の勾配に応じた傾きとなっており、第２直線手すり部３６が廻り階段部１２の内廻り側の勾配に応じた傾きとなっており、この第１直線手すり部３５と第２直線手すり部３６とが一本の直線手すり部３２で構成されているので、利用者は直線手すり部３２を持ちやすい高さ位置で握った状態で、直階段部１１と廻り階段部１２を昇段することができる。
【００３０】
そして、廻り階段部１２から階上までの昇りでは、第２直線手すり部３６を順手で握った手を湾曲手すり部３３、縦手すり部３４へと移動させながら昇段する。このとき、湾曲手すり部３３が利用者の持ちやすい高さに位置し、加えて、湾曲手すり部３３が第２直線手すり部３６の上端から斜め上方に延びて縦手すり部３４に繋がっているため、利用者は手すりを握る手を第２直線手すり部３６から湾曲手すり部３３、縦手すり部３４へとスムーズに移動させることができ、廻り階段部１２で手を握り替えることなく安全に廻り階段部１２を昇段することができる。
【００３１】
次に、階上から階下に降りるときは、まず利用者は階上で縦手すり部３４を握る。このとき、縦手すり部３４は、その上端が階上の床面１８から１００ｃｍ以上の高さＨ３の位置となるように設けられており、利用者は自然に逆手で縦手すり部３４を握ることになるので、力を入れやすい逆手で縦手すり部３４を握りながら廻り階段部１２を降段することができる。
【００３２】
そして、階上から廻り階段部を降りるときは、縦手すり部３４を逆手で握った手を湾曲手すり部３３、第２直線手すり部３６へと移動させながら降段する。このとき、湾曲手すり部３３は利用者の持ちやすい高さに位置し、加えて、湾曲手すり部３３は、水平な部分がなく、縦手すり部３４の下端から斜め下方に延びて第２直線手すり部３６に繋がっているため、利用者は縦手すり部３４を逆手で握ったまま縦手すり部３４から湾曲手すり部３３、第２直線手すり部３６へとスムーズに手を移動させることができる。
【００３３】
そして、第２直線手すり部３６を逆手で握ったまま、廻り階段部１２から直階段部１１の５段目の踏み板１３ｅに降段する。第２直線手すり部３６が廻り階段部１２の内廻り側の勾配に応じた傾きで、利用者の持ちやすい高さ位置となっているので、利用者は逆手で握った第２直線手すり部３６を廻り階段部１２で握り替えることなく安全に廻り階段部１２を降段することができる。
【００３４】
そして、直階段部１１の５段目の踏み板１３ｅから階下に降りるとき、直線手すり部３２を逆手で握ったまま降段することもできるし、逆手から順手に握り替えてから降段することもできる。
【００３５】
なお、本発明は、上述の実施形態に限定されるものではなく、本発明の要旨を逸脱しない範囲において適宜の変更が可能である。例えば、本実施形態では、右側に曲がる廻り階段部１２となっているが、左側に曲がるものであってもよい。また、手すり３０は、金属製のパイプ部材の表面に合成樹脂製の被覆部材を被覆したものであってもよいし、金属製の手すり棒や木製の手すり棒等を一部又は全部に用いたものであってもよいし、これらを組み合わせたものであってもよい。また、上述の実施形態では、上廻り階段１０は、外廻り側の側壁４０には特に手すりが設けられておらず、内廻り側の側壁１６にのみ本発明の手すり３０が設けられているが、本発明はこれに限定されず、外廻り側の側壁４０にも本発明以外の手すりが設けられていてもよい。なお、本発明は、上述の実施形態の直階段部１１や廻り階段部１２の段数に当然ながら限定されない。
【符号の説明】
【００３６】
１０  上廻り階段
１１  直階段部
１２  廻り階段部
１３ａ〜１３ｅ  踏み板
１４ａ〜１４ｃ  踏み板
１５  廻り中心部
１６  側壁
１７  壁面
１８  角部
１９  階上の床面
２０  側面
３０  手すり
３１  ブラケット
３２  直線手すり部
３３  湾曲手すり部
３４  縦手すり部
３５  第１直線手すり部
３６  第２直線手すり部
３７  境界部
４０  側壁
【図１】
2019031826.tif 000003
【図２】
2019031826.tif 000004
【図３】
2019031826.tif 000005
【図４】
2019031826.tif 000006